(57)【要約】【課題】塵埃の貯蔵量が多くなる集塵袋式の電気掃除機において、集塵袋内の塵埃量や、貯留期間に関係なく十分な脱臭効果が得られ、同時に脱臭作用に由来した異臭発生も起きない電気掃除機を提供する。【解決手段】塵埃を吸引貯留する集塵袋１内に脱臭粉体５を備え、塵埃が吸引された場合に、集塵袋内に発生する気流等の作用により、塵埃に脱臭粉体が付着するようにしたものである。【選択図】図１
2006230868.tif 000002
【特許請求の範囲】
【請求項１】
集塵室に集塵袋を備え、電動送風機により発生する吸引風により、前記集塵袋に塵埃を吸引貯留する電気掃除機において、前記集塵袋内に予め脱臭粉体を備え、前記脱臭粉体を気流もしくは振動等の混合作用により前記集塵袋内の塵埃に付着させることで、塵埃由来の臭気を除去する電気掃除機。
【請求項２】
集塵袋は複数層の袋より構成され、前記複数層の袋の内、最内面側の袋に脱臭粉体を接着手段を介して崩落可能に固定させた請求項１に記載の電気掃除機。
【請求項３】
集塵袋は複数層の袋より構成され、前記複数層の袋の内、最内面側の袋の外側と他の袋との間に脱臭粉体を封入した請求項１に記載の電気掃除機。
【請求項４】
集塵袋は、前記集塵袋内側に脱臭粉体を封入した通気性袋を別体で備えた請求項１に記載の電気掃除機。
【請求項５】
脱臭粉体を封入した通気性袋は、集塵袋内側の天面部または前上部付近に設置されている請求項４に記載の電気掃除機。
【請求項６】
脱臭粉体を封入した通気性袋は、撥水加工が施されている請求項４または請求項５に記載の電気掃除機。
【請求項７】
集塵袋に振動を加える加振手段を備えた請求項１から６のいずれか１項に記載の電気掃除機。
【請求項８】
加振手段は、電動送風機の運転停止後に所定の時間動作させる請求項７に記載の電気掃除機。
【請求項９】
加振手段と電気的に接続された塵埃検知手段と制御手段を備え、前記塵埃検知手段で吸引中の塵埃を検知し、その検知した信号を基に前記制御手段により加振手段を所定の時間動作させる請求項７に記載の電気掃除機。
【請求項１０】
脱臭粉体は、アルミナ１重量部に対してシリカ１００重量部以上の成分比率である疎水性ゼオライトの脱臭粉体である請求項１から９のいずれか１項に記載の電気掃除機。
【請求項１１】
脱臭粉体中に、抗菌材料を配合した請求項１から１０のいずれか１項に記載の電気掃除機。
【請求項１２】
脱臭粉体に対する抗菌材料の配合量は、脱臭粉体１００重量部に対して、１〜３重量部である請求項１１に記載の電気掃除機。
【発明の詳細な説明】
【技術分野】
【０００１】
本発明は、排気に含まれる臭気を大幅に低減する電気掃除機において、特に集塵袋を用いた方式の電気掃除機に関するものである。
【背景技術】
【０００２】
近年、住環境の快適性に対する要求が高まる中、電気掃除機においても、クリーン機能向上に対してのニーズが年々増加している。特に排気に含まれる塵埃由来の悪臭に対する低減、除去に関しては、使用者の関心が特に高い。集塵袋内に吸引された埃、食べ物かす、毛髪、皮脂などが、集塵袋内で長期間貯留することで、酸化や、微生物による腐敗が進行し、その結果として悪臭物質が発生する。このため、電気掃除機運転時には、悪臭が排気に含まれて室内に放出されるため、使用者が不快な思いをしたり、不衛生な印象を受けたりすることとなる。
【０００３】
従来の電気掃除機の排気中に含まれる臭気対策としては、集塵室内空間に消臭芳香剤を設置したものが提案されている（例えば、特許文献１参照）。
【特許文献１】特許第２８１００９０号公報
【発明の開示】
【発明が解決しようとする課題】
【０００４】
しかしながら、前記従来の構成では、電気掃除機の集塵袋を設置する集塵室内空間に消臭芳香剤を設置し、集塵室内に消臭成分を飛散させて、集塵袋内の塵埃の消臭を行い、運転時の排気臭を緩和させるが、消臭芳香剤は、塵埃の臭気に別に香りを混合させて、排気臭を緩和するため、根本的な臭気の除去には至らず、またさらに、吸引した塵埃の種類によっては、不快な異臭として掃除機から排気される場合もあるという課題を有していた。
【０００５】
また、前記従来の構成では、多量の塵埃を吸引して、長期に渡って保持できる集塵袋式掃除機では、吸引気流がほぼ全て塵埃中を通過するため、吸塵量の増加に従い、臭気発生量が増加し、集塵袋の許容量に近い状態では、臭気発生が大幅に増加するため、消臭芳香剤の消臭効果では、十分な効果が得られないという課題を有していた。
【０００６】
本発明は、前記従来の課題を解決するもので、電気掃除機使用時の排気に含まれる塵埃由来の臭気を大幅に低減し、特に塵埃の貯蔵量が多くなる集塵袋式の電気掃除機において、集塵袋内の塵埃量や、貯留期間に関係なく十分な脱臭効果が得られ、同時に脱臭作用に由来した異臭発生も起きない電気掃除機を提供することを目的とする。
【課題を解決するための手段】
【０００７】
前記従来の課題を解決するために、本発明の電気掃除機は、塵埃を吸引貯留する集塵袋内に脱臭粉体を備え、塵埃が吸引された場合に、集塵袋内に発生する気流等の作用により、塵埃に脱臭粉体が付着するようにしたものである。
【０００８】
これによって、脱臭粉体が付着した塵埃は、微細な脱臭粉体が、気流に乗ってさらに塵埃表面だけでなく内部にまで均一に付着し、塵埃からの臭気の発生を長期に渡って防止し、また気相中の臭気に対しても脱臭粉体が連続的に除去することができるため、集塵袋内から外に悪臭は漏洩することもない。
【発明の効果】
【０００９】
本発明の電気掃除機は、多量に塵埃が貯留し、吸引気流が塵埃中を通過する集塵袋方式において、塵埃由来の悪臭が排気に含まれるのを大幅に低減し、かつ集塵袋内の塵埃が許容量に達するまで長期に渡って脱臭効果を維持させることができる。
【発明を実施するための最良の形態】
【００１０】
第１の発明は、集塵室に集塵袋を備え、電動送風機により発生する吸引風により、前記集塵袋に塵埃を吸引貯留する電気掃除機において、前記集塵袋内に予め脱臭粉体を備え、前記脱臭粉体を気流もしくは振動等の混合作用により前記集塵袋内の塵埃に付着させることで、塵埃由来の臭気を除去することにより、集塵袋内に貯留する塵埃を連続的に脱臭処理でき、排気に含まれる悪臭を大幅に低減することができる。
【００１１】
第２の発明は、特に、第１の発明の集塵袋は、複数層の袋より構成され、前記複数層の袋の内、最内面側の袋に脱臭粉体を接着手段を介して崩落可能に固定されていることにより、電動送風機による発生する吸引気流や、吸引した塵埃が集塵袋に衝突した際の衝撃等により、脱臭粉体の一部が崩落して塵埃中混ざり、混ざった脱臭粉体は、気流の影響により塵埃中に拡散し、さらに吸引気流が通過する際は脱臭粉体が接着された袋を通過することになるため、塵埃の臭気発生抑制と、発生臭気の濾過除去効果により脱臭性能が向上する。
【００１２】
第３の発明は、特に、第１の発明の集塵袋は、複数層の袋より構成され、前記複数層の袋の内、最内面側の袋の外側と他の袋との間に脱臭粉体を封入したことにより、集塵袋に気流や振動の作用が加わった場合に、最内面側の袋から脱臭粉体が適量流出されて集塵袋内の塵埃に付着し、臭気の発生を防ぐことができる。その際、複数層の袋の内、最内面側の袋の通気径は脱臭粉体の粉径よりも大きく、他の袋の通気径は脱臭粉体の粉径よりも小さくなるようにあらかじめ設定してあり、電動送風機による吸塵があっても集塵袋から脱臭粉体が流出することなく当該集塵袋内に残存して臭気の発生を防ぐようにしている。
【００１３】
第４の発明は、特に、第１の発明の集塵袋は、集塵袋内に、脱臭粉体を封入した通気性袋を別体で備えたことにより、集塵袋内に脱臭粉体を設置することがより簡便に実行でき、集塵袋に気流や振動の作用が加わった場合に、通気性袋から適量排出されて集塵袋内の塵埃に付着し、臭気の発生を防ぐことができる。
【００１４】
第５の発明は、特に、第４の発明の前記脱臭粉体を封入した通気性袋は、集塵袋の天面部または前上部付近に設置されており、脱臭粉体が通気性袋から、気流や振動により部分的に排出される場合、集塵袋の天面部または前上部より排出されることで、集塵袋内の塵埃により均一に脱臭粉体を付着させることができ、塵埃由来の臭気を効率よく脱臭することができる。
【００１５】
第６の発明は、特に、第４の発明または第５の発明の通気性袋は、撥水加工が施されているため、周囲雰囲気の湿度が増加したり、水分を含んだ塵埃を吸引し、集塵袋内が高湿状態になった場合でも、通気性袋は、撥水加工により水分を弾くため、内部の脱臭粉体は水分を吸収することはなく、長期間室内に放置されるような場合でも、常に脱臭性能を保持し続けることができる。
【００１６】
第７の発明は、特に、第１から第６のいずれか１つの発明の集塵袋に振動を加える加振手段を備えたものであるため、加振手段で集塵袋に振動を与えることで、集塵袋内で脱臭粉体を確実に塵埃に付着することができ、塵埃由来の悪臭を安定的に除去することができる。
【００１７】
第８の発明は、特に、第７の発明の加振手段は、電動送風機の運転停止後に所定の時間動作させるので、集塵袋に新たに吸引した塵埃に対して、脱臭粉体を付着させることとなり、掃除作業終了時点で常に塵埃には脱臭処理が施されているため、次回掃除作業時に電動送風機を運転した場合でも、排気から悪臭を発生することはなくなる。
【００１８】
第９の発明は、特に、第７の発明において、加振手段と電気的に接続された塵埃検知手段と制御手段を備え、前記塵埃検知手段で吸引中の塵埃を検知し、その検知した信号を基に前記制御手段により加振手段を所定の時間動作させることにより、吸引した塵埃単位に脱臭粉体を付着することとなり、塵埃に対する悪臭の脱臭性能をさらに高めることができる。
【００１９】
第１０の発明は、特に第１から第９の発明の脱臭粉体は、アルミナ１重量部に対してシリカ１００重量部以上の成分比率である疎水性ゼオライトの脱臭粉体であり、長期に渡って集塵袋内に脱臭粉体が放置された場合でも、脱臭粉体は疎水性であり水分を吸着しがたいため、雰囲気湿度の影響により脱臭性能が落ちることはなく、常に高い脱臭効果を発揮することができる。
【００２０】
第１１の発明は、特に第１から第１０の発明の脱臭粉体中に、抗菌材料を配合したものであり、抗菌材料が塵埃に付着している雑菌の繁殖を抑制し、水分が混入した場合の急激な菌の増加による悪臭の発生も防ぐことができ、塵埃の悪臭に対する総合的な脱臭性能を向上させることができる。
【００２１】
第１２の発明は、特に第１から第１１の発明の脱臭粉体に対する抗菌材料の配合量は、脱臭粉体１００重量部に対して、１〜３重量部であり、抗菌材料の配合量を適正にすることで脱臭性能と抗菌性能をバランス良く保つことができ、コスト面でも有利となる。
【００２２】
以下、本発明の実施の形態について、図面を参照しながら説明する。なお、この実施の形態によって本発明が限定されるものではない。
【００２３】
（実施の形態１）
図１は本発明の第１の実施の形態における電気掃除機に用いる集塵袋の略断面図である。図２は同実施の形態における電気掃除機の略断面図である。
【００２４】
図１において、集塵袋１は、外袋２と内袋３及び口芯４から構成されており、通常不織布を複数層重ね合わせ、袋状に成形し、さらに袋の開放部分に、塵埃の吸引口となる円形開口部を有する口芯４を接着して作製する。
【００２５】
さらに前記内袋３の表面には、脱臭粉体５をバインダーを介して接着固定している。脱臭粉体の接着固定の方法としては、脱臭粉体５を２０重量部、バインダーを２重量部を１００重量部の蒸留水中に分散させて、スラリーを調製する。前記脱臭粉体５としては、活性炭、遷移金属触媒、ゼオライト等の脱臭粉体を用いることができ、本実施の形態では、ゼオライトを使用した。バインダーとしては、有機バインダー、無機バインダーを用いることができるが、熱的安定性や、脱臭粉体の性能低下への影響が少ない点より無機バインダーが好ましく、シリカ系の無機バインダーを使用した。
【００２６】
前記材料を分散させたスラリー中に内袋３の原料不織布を浸漬させて取り出した後、８０℃で８時間乾燥後、１８０℃まで昇温し、その後２時間保持して接着固定を完了し、この不織布を前記集塵袋１の内袋３として用いた。
【００２７】
尚、前記スラリーへの浸漬、乾燥を複数回繰り返すことで、内袋３不織布の表面に脱臭粉体５を層状に固定し、内袋３への接着固定量を増やすこともできる。本実施の形態では、前記接着固定操作を３回実施し、集塵袋１個当たりに脱臭粉体５を５ｇ接着固定した内袋３を使用した。
【００２８】
また、前記方法で内袋３の不織布に固定した脱臭粉体５は、外部から脱臭粉体５に所定の衝撃等の力が加わった場合や、電気掃除機の運転、停止時の気流変化で集塵袋が変形した場合、または、集塵袋内の気流脈動が生じた場合等、これらの衝撃を受けて、バインダーが崩壊し、脱臭粉体５が内袋３から容易に脱離して、元の粉体状態に戻すことができ、塵埃に脱臭粉体５が付着する。
【００２９】
図２の電気掃除機の略断面図において、電気掃除機本体６内には、集塵室７、電動送風機８が配置されており、電動送風機８の前後の通風路には、集塵フィルター９が配置されている。また、電気掃除機本体６前部には、集塵室７と連通して、吸引口１０が開口しており、床面等から塵埃を吸引、導入するための吸引管１１が接続されている。
【００３０】
さらに、前記電気掃除機本体６の集塵室７側の上面は、開閉可能な蓋１２が組み込まれており、蓋１２を開けて、脱臭粉体５付き集塵袋１を、口芯４を集塵室７内に設けられた固定ガイド（図示せず）にはめ込むことで、口芯４の開口部と前記吸引口１０が連通した状態となる。
【００３１】
また、本実施の形態では、脱臭粉体５を崩落させて塵埃に付着させる手段として、集塵袋１に電気的に振動を加える加振手段１３を集塵室７内に組み込んでいる。前記加振手段１３としては、図２に示すように、ソレノイド等の振動発生器１４と振動伝達板１５を組み合わせた構成が集塵袋１の広範囲に振動を加えることができる点で好ましい。尚、振動を加える位置は、図２では、集塵袋１の後部であるが、集塵袋１に適正な振動を加えることができれば、これに限定されることはない。
【００３２】
尚、前記加振手段１３は、電気的な手段に限定されることはなく、集塵袋１に振幅動作を加えられるのであれば、手動や、電気掃除機本体６を移動させる時に発生する振動を利用してもよい。
【００３３】
以上の構成により、電動送風機８の作動により吸引風を発生させて、吸引管１１を介して塵埃を吸引すると、吸引された塵埃は、集塵袋１内に貯留し、集塵袋１にて濾過された吸引気流は、集塵フィルター９を経て電気掃除機本体６外へ排気されることとなる。掃除作業が終了し、電動送風機８が停止後、振動発生器１４を所定時間作動させて、集塵袋１に振動を加えることにより、内袋３上の脱臭粉体５の一部を崩落させ、塵埃に付着するため、集塵袋１内の塵埃には、常に脱臭粉体５が付着していることとなる。
【００３４】
尚、振動発生器１４を、掃除前、掃除中など任意のタイミングで作動させて、塵埃に脱臭粉体５を付着させる操作を行ってもよく、ニオイの強い塵埃を吸引した場合などでも、振動発生器１４の作動回数を多くすることで、脱臭効果をより高めることもできる。
【００３５】
また、任意のタイミングで電気的に加振手段１３を動作させ、集塵袋１に振動を加え脱臭粉体５を崩落させて塵埃に付着させる一連の動作は、図示していない制御手段でもって制御され動作するものである。
【００３６】
以上のように構成された実施の形態１の電気掃除機を用いて、本発明の効果を実験により検証した。
【００３７】
（実験例１）
上記の電気掃除機を用いて、実部屋の掃除を１５分間行った。掃除完了後、電動送風機８を停止し、加振手段１３を５秒間作動させて、集塵袋１に振動を加えた。対照実験として内袋３に脱臭粉体５を備えない通常の集塵袋を設置した電気掃除機を用いての実部屋の掃除も１５分間行い、この実部屋掃除を、それぞれ２ヶ月間毎日続けた。
【００３８】
排気臭気に対して官能的に意識しながら、掃除作業を継続した結果、対照実験の掃除機は、実験開始後３日目くらいで運転開始直後の排気中には、埃っぽいニオイが認知されはじめ、その後、経時的に排気臭の強さが増加していき、２ヶ月経過時点では、運転中も常に強い塵埃臭が認知された。
【００３９】
一方、本実施の形態の電気掃除機は、実験開始から試験終了時点まで、運転開始時、運転中とも排気の臭気が気になることはなかった。
【００４０】
２ヵ月後の本実施の形態と対照実験の集塵量はそれぞれほぼ同量であり、約３５０ｇ吸引されていた。
【００４１】
次に２ヶ月経過後の電気掃除機を、１ｍ３の密閉チャンバー内にセットし、６０秒間運転させた。チャンバー内の空気を男女混成の官能評価パネラー６名で、におい嗅ぎ官能評価を行い、０〜５の６段階臭気強度の判定を行った。結果は、本実施の形態は、平均の臭気強度が１．２であったのに対して、対照実験は、平均臭気強度が３．６であり、定量的にも本実施の形態の脱臭効果が高いことを確認できた。
【００４２】
また、実験終了後の本実施の形態の集塵袋１を解体した結果、内袋３の脱臭粉体５は、ほぼ全量が脱離しており、塵埃中に付着しているのが観察された。
【００４３】
以上の結果より、本実施の形態の電気掃除機は、塵埃を多量に貯留し、長期間保持する集塵袋方式の場合でも、塵埃の発生する臭気を低減し、さらにその効果を長期に渡って維持することができる。
【００４４】
ここで本実施の形態において、きわめて高い臭気低減効果が得られるのは以下の理由による。すなわち、内袋３から崩落した脱臭粉体５は無限の数となって個々の塵埃の周りに付着し、塵埃との接触面積が極めて多くなってその分高い脱臭性能が得られ、しかも、塵埃全体としてみた場合に塵埃中に脱臭粉体５が混合してそのまま残存している形となり、この残存保持された状態の脱臭粉体５が塵埃の臭気を脱臭しつづけるからである。換言すると本発明では、内袋３から崩落する脱臭粉体５の粉径（バインダーで固める前の粉体径）は、集塵袋１の内袋３あるいは外袋２、すなわち集塵袋１全体としてみた場合の集塵袋通気径より大きくなるようにあらかじめ設定してあり、電動送風機による吸塵があっても集塵袋１から流出することなく当該集塵袋１内に残存するようにしていることが重要である。この点は以下に述べる各実施の形態および実験例でも同様である。
【００４５】
（実験例２）
本実施の形態の脱臭粉体として、ゼオライトの中でも、シリカの成分比がアルミナ成分比に比べ高い疎水性ゼオライトを内袋３に接着固定した集塵袋１を用い、実験例１と同様の実験を行った。尚、本実験例では、掃除作業終了後、翌日の掃除まで集塵袋１を３５℃、８５％の恒温恒湿槽に保管し、これを実験終了の２ヵ月後まで継続した。対照実験として実験例１の通常のゼオライトを使用した集塵袋１についても同様の実験を行った。
【００４６】
２ヶ月経過後の電気掃除機を、１ｍ３の密閉チャンバー内にセットし、６０秒間運転させ、実験例１と同様に官能評価を行った。結果は、疎水性ゼオライトの集塵袋１の仕様は、平均の臭気強度が１．２であったのに対して、対照実験である通常ゼオライトの集塵袋１の仕様では、平均臭気強度が１．８であった。
【００４７】
以上の結果より、脱臭粉体として疎水性ゼオライトを使用することにより、梅雨の時期や、夏場など高湿の時期においても、高い脱臭性能を実現できることが確認できた。
【００４８】
（実施の形態２）
図３は本発明の第２の実施の形態の電気掃除機の集塵袋の略断面図である。図４は同実施の形態における電気掃除機の略構造断面図である。
【００４９】
尚、実施の形態１と同一の構成については、同一の符合を付して詳細な説明を省略する。
【００５０】
図３において、１６は樹脂素材の繊維を袋状に加工した通気性袋であり、通気性袋内に脱臭粉体５を入れて開放端を封止したものである。前記通気性袋の空隙は、５０〜１００μｍの範囲内とすることで、脱臭粉体が静的な状態では袋外へ出ることはほとんどなく、外部より振動などが加わったときに適量が排出させることができる。尚通気性袋の素材は、樹脂素材に限定されることなく、パルプ系、金属系を用いてもよい。
【００５１】
脱臭粉体５を封入した通気性袋１６を集塵袋１の製造時に、内袋３に貼り付けて成型することにより、脱臭粉体５を備えた集塵袋１を簡便に得ることができる。本実施の形態では、通気性袋１６に脱臭粉体５を１０ｇ封入した。
【００５２】
尚、通気性袋１６の樹脂素材の表面にシリコン系ポリマーのコーティングを施すことにより、外部からの水分に対しての撥水性を得ることができ、通気性袋１６内の脱臭粉体５の粉状態と脱臭性能を長期に渡って維持することが可能となるため、電気掃除機を長期間使用しない場合でも、脱臭性能が低下することはない。
【００５３】
また、集塵袋１内の通気性袋１６の取り付け位置は、天面部、または前上部に設置することで、脱臭粉体５を集塵袋１内の塵埃に均一に付着させることができる。
【００５４】
図４において、１７は塵埃検知手段であり、吸引口１０より吸気流の上流側に設置されている。前記塵埃検知手段１７は、制御手段１８を介して、振動発生器１４に電気的に接続されており、吸引管１１内を塵埃が通過すると、塵埃検知手段１７が制御手段１８に信号を発信し、振動発生器１４を任意の時間作動させることで、集塵袋１に振動を加え、その結果、通気性袋１６内から脱臭粉体５が部分的に排出され、集塵袋１内の塵埃に付着されることとなる。
【００５５】
尚、塵埃を検知した後の振動発生器１４の動作時間は、使用者が任意に調節できるようにすると、ペットを飼育している家庭のように、ニオイの強いペット毛のゴミが多い家庭などでは、１回当たりの掃除において塵埃に付着させる脱臭粉体５の量を増量させる等、脱臭効果を自由に設定することができる。
【００５６】
以上のように構成された実施の形態２の電気掃除機を用いて、本発明の効果を調べた。
【００５７】
（実験例１）
上記の電気掃除機を用いて、実部屋の掃除を１５分間行った。塵埃検知時の振動発生器１４の動作時間は１秒として、通気性袋１６から脱臭粉体５を排出させ、吸引した塵埃に脱臭粉体５を付着させた。対照実験として、脱臭粉体５を備えない通常の集塵袋を装着した電気掃除機も同様に、実部屋の掃除を１５分間行った。この実部屋掃除を、それぞれ２ヶ月間毎日続けた。
【００５８】
２ヶ月経過後の電気掃除機を、１ｍ３の密閉チャンバー内にセットし、６０秒間運転させ、官能評価を行った。結果は、本実施の形態の集塵袋１の仕様は、平均の臭気強度が０．６であったのに対して、対照実験は、平均臭気強度が３．６であった。
【００５９】
以上の結果より、本実施の形態は、掃除機の排気中に塵埃由来のニオイを感じないレベルまで脱臭できており、前記実施の形態１に対してもより高い脱臭効果が得られており、塵埃量を長期間多く貯留する集塵袋方式において、非常に高い脱臭効果を実現できることを確認できた。
【００６０】
（実験例２）
実験例２と同様の掃除作業を、ペット飼育家庭で実施した。ペットは犬を室内で飼育している家庭を対象とした。尚、本実施の形態の塵埃検知時の振動発生器１４の動作時間は１秒と３秒の２水準を設定し、対照実験として、脱臭粉体５を備えない通常の集塵袋を装着した電気掃除機も同様の掃除作業を行った。この実部屋掃除を、それぞれ１ヶ月間毎日続けた。
【００６１】
１ヵ月後の電気掃除機を前記実験例１と同様に官能評価した結果、対照実験は、平均の臭気強度が４．２と非常に劣悪な排気臭になったのに対して、塵埃検知時の振動発生器１４の動作時間を１秒としたものは、平均臭気強度が１．５となり、３秒としたものは、平均臭気強度が０．８となった。
【００６２】
以上の結果より、本実施の形態は、塵埃の貯蔵量が多くなる集塵袋方式において、臭気強度の高い塵埃を吸引する場合でも、振動発生器１４の動作時間を増やすことで脱臭粉体５の付着量を容易に増量することができるため、通常の塵埃の場合と同様の高い脱臭効果を得ることができる。
【００６３】
（実験例３）
粉体形態の機能性材料であれば、特別に加工することなく容易に通気性袋１６に封入することができるため、脱臭粉体５に加えて、抗菌粉体を配合した。抗菌粉体としては、銀系酸化物を担持した無機系抗菌材を用い、１００重量部の脱臭粉体５に対して、３重量部の抗菌粉体１９を配合した通気性袋１６と１０重量部の抗菌粉体１９を配合した通気性袋１６とを備えた２種類の集塵袋１を作製した。
【００６４】
上記２種類の集塵袋１を各々組み込んだ電気掃除機で１ヶ月間実部屋の掃除を毎日実施した結果、それぞれ、約１５０ｇの塵埃を吸引した。この集塵袋にピペットを用いて総量１５ｃｃの蒸留水を数回に分けて滴下し、３５℃のインキュベータ内で２４時間放置した。対照実験として、脱臭粉体５及び抗菌粉体を備えない通常の集塵袋を装着した電気掃除機でも同様の操作を行った。
【００６５】
２４時間放置後、各集塵袋を電気掃除機に戻し、実験例１、実験例２と同様の排気臭の官能評価を行った。その結果、対照実験は、平均の臭気強度が４と高く、硫黄系、アミン系等の腐敗臭が認知されたのに対して、本実施の形態は、抗菌粉体の配合比に関係なく、平均の臭気強度は０．９と低く、腐敗臭の発生は抑制されていた。
【００６６】
さらに各集塵袋より塵埃を１ｇづつ採取し、それぞれの塵埃中の細菌数を測定した。その結果、対照実験の塵埃中の細菌数が、初期の細菌数に対して１０００倍以上増殖していたのに対して、本実施の形態は、初期の細菌数に対して、２つの抗菌粉体配合の仕様は、ともに１／１０以下に菌数が減少しており、塵埃中の細菌数の増殖を大幅に抑制し、抗菌効果が得られる。また、脱臭粉体５に対する配合比は、３重量部で十分な効果が得られることも確認した。
【００６７】
以上の結果より、本実施の形態は、塵埃の貯蔵量が多くなる集塵袋方式において、脱臭粉体５に抗菌粉体を配合した通気性袋を備えているため、塵埃に対して抗菌処理を行うことができ、万一集塵袋１内に水分が混入した場合においても、細菌の増殖を防げ、菌由来の悪臭が塵埃から発生するのを防ぐことができる。
【００６８】
ここで本実施の形態において、通気性袋１６の通気径は脱臭粉体の粉径よりも大きく、内袋３の通気径は脱臭粉体の粉径よりも小さくなるようにあらかじめ設定してあり、電動送風機による吸塵があっても集塵袋から脱臭粉体が流出することなく当該集塵袋内に残存して臭気の発生を防ぐようにしているものである。
【００６９】
尚、集塵袋１において、内袋３の内側にメッシュ袋（図示せず）を新たに設け、前記内袋３とメッシュ袋との間に脱臭粉体を封入し、メッシュ袋の通気径は脱臭粉体の粉径よりも大きく、内袋３および外袋２の通気径は脱臭粉体の粉径よりも小さくなるようにあらかじめ設定した構成にすることで、上記実施の形態２と同様な効果が得られるものである。
【産業上の利用可能性】
【００７０】
以上のように、本発明にかかる電気掃除機は、集塵袋方式の電気掃除機の塵埃由来の臭気を大幅に低減することができ、家庭用電気掃除機だけでなく、集塵袋方式が主流の業務用電気掃除機においても幅広く適用でき、掃除作業時の空気質の快適性向上を図ることができる。
【図面の簡単な説明】
【００７１】
【図１】本発明の第１の実施の形態における集塵袋の略断面図
【図２】同実施の形態における電気掃除機の略断面図
【図３】本発明の第２の実施の形態における集塵袋の略断面図
【図４】同実施の形態における電気掃除機の略構造断面図
【符号の説明】
【００７２】
１  集塵袋
２  外袋
３  内袋
５  脱臭粉体
６  電気掃除機本体
７  集塵室
８  電動送風機
１３  加振手段
１６  通気性袋
１７  塵埃検知手段
１８  制御手段
【図１】
2006230868.tif 000003
【図２】
2006230868.tif 000004
【図３】
2006230868.tif 000005
【図４】
2006230868.tif 000006